(57)【要約】【課題】可動板がいずれの方向に振動してもその振動幅を可動板の導体線路に流れる駆動信号の振幅に応じた適切な振動幅とする。【解決手段】本願発明の平面型スピーカは、同一パターンのメアンダラインからなる導体線路４ａ，４ｂ，４ｃがそれぞれ形成された第１ないし第３の平面板２ａ，２ｂ，２ｃを有し、各平面板２ａ，２ｂ，２ｃは対向する導体線路４ａ，４ｂ，４ｃが正対するように所定の間隔を隔てて平行に配置されている。第２の平面板４ｂは板面に直交する方向に変位可能な可動板であり、第１，第２の平面板４ａ，４ｃは板面に直交する方向に変位不能に固定された固定板である。各平面板の導体線路にオーディオ信号に基づく所定の方向の駆動電流を流すことにより、可動板の導体線路４ｂに対して２枚の固定板４ａ，４ｃの導体線路４ａ，４ｃに流れる２つの駆動電流により引力と斥力を生じさせ、これらの合成力により可動板を振動させる。【選択図】図１
2009246659.tif 000002
【特許請求の範囲】
【請求項１】
同一パターンの導体線路が形成された複数の平面板を有し、かつ、各平面板が隣り合う平面板に形成された導体線路が正対するように所定の間隔を隔てて平行に配置され、各平面板の導体線路にオーディオ信号に基づく駆動電流を流して前記複数の平面板のうち一の平面板を振動させることにより前記音声信号を音声に変換して出力する平面型スピーカであって、
前記複数の平面板は、
板面に直交する方向に変位可能な１枚の可動板と、
前記可動板を挟むように配置され、板面に直交する方向に変位不能に固定された２枚の固定板とで構成され、
前記２枚の固定板の少なくとも一方には開口部が設けられていることを特徴とする、平面型スピーカ。
【請求項２】
前記複数の平面板に形成される導体線路はメアンダラインからなり、
前記固定板に設けられる開口部は、前記メアンダラインの折り返される線路間の間隙部分に穿設されている、請求項１に記載の平面型スピーカ。
【請求項３】
前記２枚の固定板は、前記可動板を保護するために硬質部材によって構成されている、請求項１又は２に記載の平面型スピーカ。
【請求項４】
請求項１乃至３のいずれかに記載の平面型スピーカの可動板に形成された導体線路と２枚の固定板にそれぞれ形成された２本の導体線路にオーディオ信号に基づく駆動電流を供給するオーディオアンプであって、
第１の電源と、
前記第１の電源とは極性の異なる第２の電源と、
前記オーディオ信号を発生するオーディオ信号発生手段と、
基準クロックを発生するクロック発生手段と、
前記基準クロックに基づいて前記オーディオ信号をパルス幅変調して変調信号を生成するパルス幅変調手段と、
前記基準クロックを分周して当該基準クロックよりも周波数の低い第１のパルス信号を生成するクロック分周手段と、
前記変調信号を分周して当該変調信号よりも周波数の低い第２のパルス信号を生成する変調信号分周手段と、
前記第１のパルス信号の位相を反転して第３のパルス信号を生成する位相反転手段と、
前記第２のパルス信号のレベルの変化に応じて前記第１の電源と前記第２の電源の前記可動板に形成された導体線路への接続を切り換え、当該導体線路に供給される駆動電流を制御する第１の電流供給制御手段と、
前記第１のパルス信号のレベルの変化に応じて前記第１の電源と前記第２の電源の前記固定板の一方に形成された導体線路への接続を切り換え、当該導体線路に供給される駆動電流を制御する第２の電流供給制御手段と、
前記第３のパルス信号のレベルの変化に応じて前記第１の電源と前記第２の電源の前記固定板の他方に形成された導体線路への接続を切り換え、当該導体線路に供給される駆動電流を制御する第３の電流供給制御手段と、
を備えることを特徴とする、オーディオアンプ。
【請求項５】
前記第３の電流供給制御手段は、
前記第２の電流供給制御手段が前記第１の電流供給制御手段によって供給される前記可動板に対する駆動電流と同一方向の駆動電流を前記一方の固定板に供給しているとき、前記可動板に対する駆動電流と逆方向の駆動電流を前記他方の固定板に供給するとともに、
前記第２の電流供給手段が前記可動板に対する駆動電流と逆方向の駆動電流を前記一方の固定板に供給しているとき、前記可動板に対する駆動電流と同一方向の駆動電流を前記他方の固定板に供給する、請求項４に記載のオーディオアンプ。
【請求項６】
請求項１乃至３のいずれかに記載の平面型スピーカと、
請求項５に記載のオーディオアンプと、
を備えたことを特徴とする、スピーカシステム。
【発明の詳細な説明】
【技術分野】
【０００１】
本願発明は、平面型スピーカと、これを駆動するためのオーディオアンプと、平面型スピーカ及びオーディオアンプからなるスピーカシステムとに関するものである。
【背景技術】
【０００２】
従来、オーディオ機器としてのスピーカには、例えば略円錐状の振動板を有し、この可動板に備えられたボイスコイルに駆動電流を流すことにより振動板が振動し、音声を出力させる、いわゆるコーン型スピーカがある。
【０００３】
このコーン型スピーカを駆動するためのオーディオアンプとしては、例えば元のオーディオ信号をパルス幅変調するスイッチングアンプが知られている。このスイッチングアンプでは、オーディオ信号が変調された変調信号とこの変調信号を反転させた反転変調信号とによってＭＯＳ−ＦＥＴ等のスイッチング素子が交互にオン、オフ動作され、高調波成分をローパスフィルタで除去した後の駆動電流がコーン型スピーカに供給される。
【０００４】
一方、近年では、例えば対向配置された一対の平面板を備え、一対の平面板にそれぞれに形成された導体線路にオーディオ信号に基づく駆動電流を流すことによって当該導体線路にオーディオ信号の振幅に応じた電磁力を発生させ、これにより一対の平面板の一方を振動させて音声を出力させる平面型スピーカが提案されている（例えば特許文献１参照）。
【０００５】
【特許文献１】特許第３３４９６４７号公報
【０００６】
また、本願出願人は、上記平面型スピーカとそれを駆動するためのスイッチングアンプとを備えたスピーカシステムを特願２００６−２８４４７８号において提案している。図１２及び図１３は、平面型スピーカの概略構造図とこの平面型スピーカを駆動するためのパルス信号（制御パルス信号及び駆動パルス信号）とを表す図である。
【０００７】
これらの図によれば、平面型スピーカは、例えば導体線路３２ａ，３２ｂがそれぞれ形成された一対の平面板３１ａ，３１ｂを有し、各導体線路３２ａ，３２ｂに一定周期でハイレベル及びローレベルを交互に繰り返す制御パルス信号と、オーディオ信号の振幅に応じてデューティ比が変化する駆動パルス信号とを供給することにより、一対の平面板３１ａ，３１ｂの間に引力と斥力とを生じさせている。
【０００８】
図１２は、一対の平面板３１ａ，３１ｂの間に引力が生じる場合を示す図であるが、制御パルス信号と駆動パルス信号とが互いに同一のレベルのとき（斜線部分参照）、一方の平面板３１ａの導体線路３２ａに流れる電流と他方の平面板３１ｂの導体線路３２ｂに流れる電流との向きが同一方向となり、一対の平面板３１ａ，３１ｂ間に引力が生じる。
【０００９】
一方、図１３は、一対の平面板３１ａ，３１ｂの間に斥力が生じる場合を示す図であるが、制御パルス信号と駆動パルス信号とが互いに異なるレベルのとき（斜線部分参照）、一方の平面板３１ａの導体線路３２ａに流れる電流と他方の平面板３１ｂの導体線路３２ｂに流れる電流との向きが互いに逆方向となり、一対の平面板３１ａ，３１ｂ間に斥力が生じる。従って、平面型スピーカでは、一対の平面板３１ａ，３１ｂ間に生じる引力及び斥力によって、一対の平面板３１ａ，３１ｂのうちのいずれか一方をオーディオ信号の振幅に応じた振幅で振動させることにより（図１２，図１３では、平面板３１ａを振動させる可動板とし、平面板３１ｂを振動させない固定板としている。）、オーディオ信号を音声に変化して出力している。
【００１０】
上述したように、平面型スピーカは、一対の平行な導体線路に電流を流したときに両導体線路にフレミングの左手の法則に基づく引力又は斥力が生じることを利用してオーディオ信号を音声（音波）に変換している。周知のように、一対の平行な導体線路にそれぞれ流れる電流をＩ1，Ｉ2、導体線路の間隔をｒ、導体線路の配置位置における透磁率をμとすると、各導体線路に作用する力Ｆは、Ｆ＝μＩ1・Ｉ2／（２πｒ）で表され、導体線路間の間隔ｒによって変化する。
【００１１】
従って、平面型スピーカの可動板３１ａと固定板３１ｂとの間に引力が生じた場合、固定板３１ｂに対して可動板３１ａが接近し、間隔ｒが小さくなるので、可動板３１ａに作用する引力は可動板３１ａが固定板３１ｂに接近するのに応じて増大する。一方、平面型スピーカの可動板３１ａと固定板３１ｂとの間に斥力が生じた場合、固定板３１ｂに対して可動板３１ａが遠ざかり、間隔ｒが大きくなるので、可動板３１ａに作用する斥力は可動板３１ａが固定板３１ｂから遠ざかるのに応じて減少する。このため、可動板３１ａの導体線路３２ａに流れる電流の大きさが同じであっても可動板３１ａが固定板３１ｂに近接する場合と可動板３１ａが固定板３１ｂから遠ざかる場合とで可動板３１ａが振動する幅が異なることになる。
【００１２】
すなわち、図１４に示すように、可動板３１ａと固定板３１ｂとの間で引力が生じる場合が図１４（ａ）に示す正弦波の駆動信号が正の場合とすると、例えば駆動信号に応じた可動板３１ａの所望の振動幅は、最大振幅Ｓを有する波形Ｗ0（図１４（ｂ）参照）となるが、実際には、最大振幅Ｓを上回る波形Ｗ1に示すような振動幅となる。
【００１３】
一方、可動板３１ａと固定板３１ｂとの間に斥力が生じた場合が図１４（ａ）に示す正弦波の駆動信号が負の場合とすると、例えば駆動信号に応じた可動板３１ａの所望の振動幅は、最大振幅Ｓを有する波形Ｗ0（図１４（ｂ）参照）となるが、実際には、最大振幅Ｓを下回る波形Ｗ2に示すような振動幅となる。
【００１４】
本来、可動板３１ａの導体線路３２ａに流れる電流が同じであれば、可動板３１ａに作用する引力と斥力は同じになることが望ましいが、上記のように、従来の平面型スピーカは、一対の平面板の一方を可動板とし、他方を固定板としているので、フレミングの左手の法則に基づく可動板の駆動原理により、可動板３１ａの導体線路３２ａに流れる電流が同じであっても可動板３１ａに作用する引力と斥力を同じにすることはできない。このため、オーディオ信号の振幅に応じて正確に可動板３１ａを振動させることができず、オーディオ信号の正負の振幅に応じた音声が適切に出力されなくなるといった問題点があった。
【００１５】
また、従来の平面型スピーカは、一対の平面板３１ａ，３１ｂの一方の平面板３１ａを可動板とし、他方の平面板３１ｂを固定板としているので、可動板３１ａの振動によって生じた音波のうち固定板３１ｂの方向に伝播する音波は当該固定板３１ｂによって遮断され、固定板３１ｂの方向とは反対方向に伝播する音波だけが自由空間に放射される。すなわち、従来の平面型スピーカは、可動板３１ａの板面に直交する２つの方向のうち、固定板３１ｂがない方向に音波の放射方向を有する構造となっている。この構造では、可動板３１ａの表裏面のうち、固定板３１ｂに対向する面は当該固定板３１ｂによって保護することができるが、固定板３１ｂに対向しない面はむき出しとなるので、コーン型スピーカのバッフル板と同様に、可動板３１ａが外部からの衝撃に弱く、何らかの保護部材を設ける必要があった。
【発明の開示】
【発明が解決しようとする課題】
【００１６】
本願発明は、上記した事情のもとで考え出されたものであって、駆動信号に応じた適切な振動を生じさせることのできる平面型スピーカを提供することを、その課題とする。また、この平面型スピーカを駆動することのできるオーディオアンプを提供することを、その課題とする。
【課題を解決するための手段】
【００１７】
上記の課題を解決するため、本願発明では、次の技術的手段を講じている。
【００１８】
本願発明の第１の側面によって提供される平面型スピーカは、同一パターンの導体線路が形成された複数の平面板を有し、かつ、各平面板が隣り合う平面板に形成された導体線路が正対するように所定の間隔を隔てて平行に配置され、各平面板の導体線路に音声信号に基づく駆動電流を流して前記複数の平面板のうち一の平面板を振動させることにより前記音声信号を音声に変換して出力する平面型スピーカであって、前記複数の平面板は、板面に直交する方向に変位可能な１枚の可動板と、前記可動板を挟むように配置され、板面に直交する方向に変位不能に固定された２枚の固定板とで構成され、前記２枚の固定板の少なくとも一方には開口部が設けられていることを特徴としている（請求項１）。
【００１９】
この構成によれば、可動板の表裏面に対して所定の間隔を隔てて２枚の固定板が、各固定板に形成された導体線路を可動板に形成された導体線路に正対させる位置に対向配置されている。そのため、２枚の固定板にそれぞれ形成された導体線路（以下、「固定板側導体線路」という。）に互いに逆方向となる電流を流し、振動板に形成された導体線路（以下、「可動板側導体線路」という。）に一方の固定板側導体線路と同方向に電流を流すと、可動板側導体線路には一方の固定板側導体線路との間で引力が発生し、他方の固定板側導体線路との間で斥力が発生する。従って、可動板側導体線路には一方の固定板側導体線路の方向に向かう合成力（引力と斥力の合成力）が作用する。逆に、可動板側導体線路に他方の固定板側導体線路と同方向に電流を流すと、可動板側導体線路には他方の固定板側導体線路との間で引力が発生し、一方の固定板側導体線路との間で斥力が発生する。従って、可動板側導体線路には他方の固定板側導体線路の方向に向かう合成力（引力と斥力の合成力）が作用する。
【００２０】
可動板側導体線路に作用する合成力により当該可動板側導体線路が形成された可動板が移動し、可動板側導体線路と一方の固定板側導体線路との間の間隔と可動板側導体線路と他方の固定板側導体線路との間の間隔とが変化して合成力の成分である引力と斥力がそれぞれ変化するが、２つの固定板側導体線路は可動板側導体線路を中心に対称位置に配置されているので、可動板の移動量に基づく合成力の変化量は、可動板側導体線路に流れる電流の向きに関係なく略同一となる。従って、可動板側導体線路に流す駆動信号（交流電流）に基づき可動板を振動させた場合にも可動板の正負の振動幅の対称性を保つことができ、駆動信号に応じた適切な振動を生じさせることができる。
【００２１】
本願発明の平面型スピーカにおいて、前記複数の平面板に形成される導体線路はメアンダラインからなり、前記固定板に設けられる開口部は、前記メアンダラインの折り返される線路間の間隙部分に穿設されているとよい（請求項２）。
【００２２】
また、前記固定板は、前記可動板を保護するために硬質部材によって構成されているとよい（請求項３）。
【００２３】
本願発明の第２の側面によって提供されるオーディオアンプは、請求項１乃至３のいずれかに記載の平面型スピーカの可動板に形成された導体線路と２枚の固定板にそれぞれ形成された２本の導体線路にオーディオ信号に基づく駆動電流を供給するオーディオアンプであって、第１の電源と、前記第１の電源とは極性の異なる第２の電源と、前記オーディオ信号を発生するオーディオ信号発生手段と、基準クロックを発生するクロック発生手段と、前記基準クロックに基づいて前記オーディオ信号をパルス幅変調して変調信号を生成するパルス幅変調手段と、前記基準クロックを分周して当該基準クロックよりも周波数の低い第１のパルス信号を生成するクロック分周手段と、前記変調信号を分周して当該変調信号よりも周波数の低い第２のパルス信号を生成する変調信号分周手段と、前記第１のパルス信号の位相を反転して第３のパルス信号を生成する位相反転手段と、前記第２のパルス信号のレベルの変化に応じて前記第１の電源と前記第２の電源の前記可動板に形成された導体線路への接続を切り換え、当該導体線路に供給される駆動電流を制御する第１の電流供給制御手段と、前記第１のパルス信号のレベルの変化に応じて前記第１の電源と前記第２の電源の前記固定板の一方に形成された導体線路への接続を切り換え、当該導体線路に供給される駆動電流を制御する第２の電流供給制御手段と、前記第３のパルス信号のレベルの変化に応じて前記第１の電源と前記第２の電源の前記固定板の他方に形成された導体線路への接続を切り換え、当該導体線路に供給される駆動電流を制御する第３の電流供給制御手段と、を備えることを特徴としている（請求項４）。
【００２４】
本願発明のオーディオアンプにおいて、前記第３の電流供給制御手段は、前記第２の電流供給制御手段が前記第１の電流供給制御手段によって供給される前記可動板に対する駆動電流と同一方向の駆動電流を前記一方の固定板に供給しているとき、前記可動板に対する駆動電流と逆方向の駆動電流を前記他方の固定板に供給するとともに、前記第２の電流供給手段が前記可動板に対する駆動電流と逆方向の駆動電流を前記一方の固定板に供給しているとき、前記可動板に対する駆動電流と同一方向の駆動電流を前記他方の固定板に供給するとよい（請求項５）。
【００２５】
本願発明の第３の側面によって提供されるスピーカシステムは、請求項１乃至３のいずれかに記載の平面型スピーカと、請求項５に記載のオーディオアンプと、を備えたことを特徴としている（請求項６）。
【００２６】
本願発明のその他の特徴及び利点は、添付図面を参照して以下に行う詳細な説明によって、より明らかとなろう。
【発明を実施するための最良の形態】
【００２７】
以下、本願発明の好ましい実施の形態を、添付図面を参照して具体的に説明する。
【００２８】
図１は、本願発明に係る平面型スピーカの概略構成図であり、図２は、平面型スピーカの概略斜視図である。
【００２９】
平面型スピーカ１は、図１に示すように、３枚の横長長方形で同一サイズの第１ないし第３平面板２ａ，２ｂ，２ｃが所定の間隔を隔てて配置されたものであり、第１及び第２平面板２ａ，２ｂ同士が対向し、第２及び第３平面板２ｂ，２ｃ同士がそれぞれ対向している。なお、図１では、理解しやすいように第１ないし第３平面板２ａ，２ｂ，２ｃのそれぞれの間隔を広げて記載している。また、第１及び第３平面板２ａ，２ｃは、図２に示すように、所定の厚みを有する平板であるが、説明の便宜上、図１では面状に記載されている。
【００３０】
第１及び第３平面板２ａ，２ｃは振動しない固定板とされる一方、第２平面板２ｂは振動する可動板とされている。すなわち、平面板スピーカ１は、可動板である第２平面板２ｂを、固定板である第１及び第３平面板２ａ，２ｃで挟み込む構成とされている。可動板である第２平面板２ｂは、その表面に対して略鉛直方向に振動するものである。
【００３１】
第１及び第３平面板２ａ，２ｃは、例えば樹脂等の比較的硬質の絶縁体によって構成されており、これにより第２平面板２ｂを外部の衝撃等から保護している。第２平面板２ｂは、例えばセラミック（ジルコニア、窒化珪素、炭化珪素又はアルミナ等）によって構成されており、その厚みが約１〜３０μｍとされている。
【００３２】
第１平面板２ａと第２平面板２ｂとの間には、図２に示すように、それらの周囲に沿って枠体として配された第１スペーサ３ａが設けられている。また、第２平面板２ｂと第３平面板２ｃとの間にも、それらの周囲に沿って枠体として配された第２スペーサ３ｂが設けられている。
【００３３】
第１ないし第３平面板２ａ，２ｂ，２ｃには、それらの表面にメアンダライン形の導体線路４ａ，４ｂ，４ｃがそれぞれ形成されている。導体線路４ａの一端は、例えば第１平面板２ａの長手方向の一方端部に設けられた一対の端子の正極端子（＋）に接続され、導体線路４ａの他端は、第１平面板２ａの長手方向の他方端部から一方端部に戻って正端子の近傍に設けられた負極端子（−）に接続されている。なお、第２及び第３平面板２ｂ，２ｃの導体線路４ｂ，４ｃの構成は、第１平面板２ａの導体線路４ａの構成と同様である。
【００３４】
第１ないし第３平面板２ａ，２ｂ，２ｃに形成された各導体線路４ａ，４ｂ，４ｃは、導体線路４ａ，４ｂ同士及び導体線路４ｂ，４ｃ同士が互いに対向するように配置されている。導体線路４ａ，４ｂ，４ｃは、例えば銅、アルミニウム等からなり、第１ないし第３平面板２ａ，２ｂ，２ｃに導体を貼付することにより形成される。なお、導体線路４ａ，４ｂ，４ｃは、エッチング等により形成されてもよい。また、導体線路４ｂは、第２平面板２ｂの振動を阻害しないような軽量のものがより望ましい。
【００３５】
第１平面板２ａには、導体線路４ａの形成領域を除く領域に横長に延びた複数の開口５が形成されている。開口５は、導体線路４ａの折り返しにより隣接する線路に生じる隙間部分に形成され、図１によれば、合計５個形成されている。なお、第３平面板２ｃにも第１平面板２ａと同様の開口５が形成されている。これらの開口５が形成されることにより、第２平面板２ｂに振動が生じたとき、その振動によって生じる第１平面板２ａと第３平面板２ｃの両方に伝播する空気の振動（音波）が開口５を通じて外部に放射される。すなわち、本実施形態に係る平面型スピーカは、第１平面板２ａと第３平面板２ｃの両面に垂直な方向に指向性を有する。
【００３６】
平面型スピーカ１には、アンプ装置１０が接続され、上記導体線路４ａ，４ｂ，４ｃのそれぞれには、アンプ装置１０から出力される駆動電流が流される。駆動電流は、図１に示す正極端子（＋）から負極端子（−）に流れる向きと、負極端子（−）から正極端子（＋）に流れる向きとがある。
【００３７】
第１及び第２平面板２ａ，２ｂの各導体線路４ａ，４ｂに、図３に示すように、互いに逆向きの方向に駆動電流が流れたとき、図３及び図４に示すように、導体線路４ａ，４ｂ間にローレンツ力による斥力Ｆ１，Ｆ２が作用する。より具体的には、第１平面板２ａの導体線路４ａに流れる駆動電流Ｉ１と第２平面板２ｂの導体線路４ｂに流れる駆動電流Ｉ２とが逆向きである場合、第１平面板２ａ（固定板）の導体線路４ａの周囲には、第２平面板２ｂ（可動板）の導体線路４ｂに流れる駆動電流Ｉ２によって反時計周りに磁力線Ｅ２が生じる。したがって、第１平面板２ａの導体線路４ａには、駆動電流Ｉ１と磁力線Ｅ２とにより、図３における上向きの電磁力（斥力）Ｆ１が生じる。
【００３８】
また、第２平面板２ｂ（可動板）の導体線路４ｂの周囲には、第１平面板２ａ（固定板）の導体線路４ａに流れる駆動電流Ｉ１によって時計周りに磁力線Ｅ１が生じる。したがって、第２平面板２ｂ（可動板）の導体線路４ｂには、駆動電流Ｉ２と磁力線Ｅ１とにより、図３における下向きの電磁力Ｆ２（斥力）が生じる。この斥力Ｆ２は、導体線路４ａと導体線路４ｂとの間隔をｒ、導体線路４ｂの配置位置における透磁率をμとすると、Ｆ２＝μＩ１・Ｉ２／（２πｒ）で表される。
【００３９】
一方、図５に示すように、互いに同一方向に駆動電流が流れたとき、図５及び図６に示すように、導体線路４ａ，４ｂ間にローレンツ力Ｆ１’，Ｆ２’による引力が作用する。すなわち、第１平面板２ａの導体線路４ａに流れる駆動電流Ｉ１と第２平面板２ｂの導体線路４ｂに流れる駆動電流Ｉ２とが互いに同一方向である場合、第１平面板２ａ（固定板）の導体線路４ａには、駆動電流Ｉ１と磁力線Ｅ２とにより、図５における下向きの電磁力（引力）Ｆ１’が生じる。また、第２平面板２ｂ（可動板）の導体線路４ｂには、駆動電流Ｉ２と磁力線Ｅ１とにより、図５における上向きの電磁力（引力）Ｆ２’が生じる。この引力Ｆ２’は、Ｆ２’＝μＩ１・Ｉ２／（２πｒ）で表される。
【００４０】
なお、第１及び第２平面板２ａ，２ｂの各導体線路４ａ，４ｂにおける駆動電流の向き及び生じる電磁力の関係は、第２及び第３平面板２ｂ，２ｃの各導体線路４ｂ，４ｃにおける駆動電流の向き及び生じる電磁力の関係と同様である。
【００４１】
例えば、第１平面板２ａ（固定板）の導体線路４ａと第２平面板２ｂ（可動板）の導体線路４ｂに、それぞれ図４に示す方向の駆動電流Ｉ１，Ｉ２を流し、第３平面板２ｃ（固定板）の導体線路４ｃに第１平面板２ａ（固定板）の導体線路４ａとは逆方向の駆動電流−Ｉ２を流した場合、第２平面板２ｂの導体線路４ｂには、第１平面板２ａの導体線路４ａの流れる駆動電流Ｉ１に基づく斥力と第３平面板２ａの導体線路４ｃの流れる駆動電流−Ｉ２に基づく引力の合成力Ｆが作用する。この合成力Ｆは、第２平面板２ｂを第１平面板２ａから遠ざける方向に作用する力であるから、この方向を正の方向とし、第２平面板２ｂと第１平面板２ａとの間隔をｒ１、第２平面板２ｂと第３平面板２ｃとの間隔をｒ２とすると、駆動電流Ｉ１に基づく斥力は、μＩ１・Ｉ２／（２πｒ１）で表され、駆動電流−Ｉ２に基づく引力は、μＩ１・（−Ｉ２）／（２πｒ２）で表されるから、合成力Ｆは、Ｆ＝Ｋ／ｒ１＋Ｋ／ｒ２で表される。ただし、Ｋ＝μＩ１・Ｉ２／２πである。
【００４２】
従って、第２平面板２ｂが第１平面板２ａと第３平面板２ｃの中央に位置しているときは、ｒ１＝ｒ２であるから、ｒ１＝ｒ２＝ｒとすると、合成力Ｆ＝２Ｋ／ｒとなる。そして、第２平面板２ｂに上記の合成力Ｆ＝２Ｋ／ｒが作用して当該第２平面板２ｂが、Δｒだけ移動すると、そのときの合成力Ｆは、Ｆ＝Ｋ／（ｒ＋Δｒ）＋Ｋ／（ｒ−Δｒ）＝Ｋ／[ｒ（１＋Δｒ／ｒ）]＋Ｋ／[ｒ（１−Δｒ／ｒ）]となる。
【００４３】
１≫Δｒ／ｒであるとすると、Ｆ≒Ｋ／ｒ＋Ｋ／ｒ＝２Ｋ／ｒとなるから、第２平面板２ｂに作用する力Ｆは、当該第２平面板２ｂの移動量Δｒに関係なく、略一定となる。第２平面板２ｂの導体線路４ｂに流れる電流を図４に示す方向とは逆の向きにした場合、合成力Ｆの方向が当該第２平面板２ｂを第１平面板２ａに近づける方向に変化するだけで、第２平面板２ｂの移動に基づく合成力Ｆの変化特性は、上記のＦ≒２Ｋ／ｒとなる。また、第２平面板２ｂの移動量Δｒが大きく、１≫Δｒ／ｒが成立しない場合であっても、第２平面板２ｂの導体線路４ｂに流れる電流の向きに関係なく、第２平面板２ｂの移動に基づく合成力Ｆの変化特性は、Ｆ＝Ｋ／（ｒ＋Δｒ）＋Ｋ／（ｒ−Δｒ）で表される。
【００４４】
従って、本実施形態に係る平面型スピーカでは、第２平面板２ｂ（可動板）の駆動信号に基づく第１平面板２ａ（固定板）側への振動量と第３平面板２ｃ（固定板）側への振動量との対称性が確保されている。
【００４５】
本実施形態では、第１及び第２平面板２ａ，２ｂ間において斥力Ｆ１，Ｆ２が生じる場合には、第２及び第３平面板２ｂ，２ｃ間では引力Ｆ１’，Ｆ２’が生じるように、後述するアンプ装置１０によって駆動電流を各平面板２ａ，２ｂ，２ｃに供給している。また、第１及び第２平面板２ａ，２ｂ間において引力Ｆ１’，Ｆ２’が生じる場合には、第２及び第３平面板２ｂ，２ｃ間では斥力Ｆ１，Ｆ２が生じるように、アンプ装置１０によって駆動電流を各平面板２ａ，２ｂ，２ｃに供給している。そして、これらの動作により、第２平面板２ｂを振動させ、この振動により音声を出力させている。
【００４６】
図７は、平面型スピーカ１を含むアンプ装置１０のブロック構成図である。アンプ装置１０は、図１に示す平面型スピーカ１を駆動させるためのものである。
【００４７】
アンプ装置１０は、オーディオ信号発生源１１と、パルス幅変調（ＰＷＭ）部１２と、クロック発生部１３と、第１及び第２エッジトリガ部１４ａ，１４ｂと、位相反転部１５と、第１ないし第６レベルシフト部１６ａ〜１６ｆと、第１ないし第６駆動部１７ａ〜１７ｆと、第１ないし第６スイッチング素子１８ａ〜１８ｆとによって概略構成されている。
【００４８】
オーディオ信号発生源１１は、入力信号としてのオーディオ信号を発生するものである。オーディオ信号発生源１１から発生されたオーディオ信号は、パルス幅変調部１２に入力される。
【００４９】
パルス幅変調部１２は、オーディオ信号発生源１１から出力されたオーディオ信号をパルス幅変調して、オーディオ信号の振幅に応じてデューティ比が変化する一定周期のパルス信号である変調信号を生成、出力するものである。パルス幅変調部１２における変調方法としては、鋸波や三角波を用いる方法及びコンデンサの充放電を用いる方法あるいはその他の方法のいずれの方法であってもよい。パルス幅変調部１２から出力される変調信号は、第１エッジトリガ部１４ａに入力される。
【００５０】
クロック発生部１３は、デューティ比がほぼ５０％のクロック信号である基準クロック信号を生成するものである。この基準クロック信号は、パルス幅変調部１２において変調信号を生成するための基準クロックとして用いられるとともに、第２エッジトリガ部１４ｂにおいて分周されるために用いられる。
【００５１】
第１エッジトリガ部１４ａは、パルス幅変調部１２からのパルス信号である変調信号の立ち下がり又は立ち上がりを検出して、元の変調信号の２倍の周波数を有する変調信号を生成する、いわゆる２分周回路である。第１エッジトリガ部１４ａからの分周された変調信号は、第１及び第２レベルシフト部１６ａ，１６ｂに入力される。
【００５２】
第２エッジトリガ部１４ｂは、クロック発生部１３からの基準クロック信号の立ち下がり又は立ち上がりを検出して、元の基準クロック信号の２倍の周波数を有するクロック信号を生成する２分周回路である。第２エッジトリガ部１４ｂからの分周されたクロック信号は、第３及び第４レベルシフト部１６ｃ，１６ｄ並びに位相反転部１５に入力される。
【００５３】
位相反転部１５は、第２エッジトリガ部１４ｂからの分周されたクロック信号を位相反転するものである。位相反転され、分周された基準クロック信号（以下、「反転分周クロック信号」という。）は、第５及び第６レベルシフト部１６ｅ，１６ｆに入力される。
【００５４】
第１ないし第６レベルシフト部１６ａ〜１６ｆは、パルス幅変調部１２における基準電位及びクロック信号の基準電位を、第１ないし第６スイッチング素子１８ａ〜１８ｆを駆動させるための基準電位にシフトするためのものである。第１ないし第６レベルシフト部１６ａ〜１６ｆは、後述する第１ないし第６駆動部１７ａ〜１７ｆのそれぞれに、及び第１ないし第６スイッチング素子１８ａ〜１８ｆのそれぞれに対応している。
【００５５】
第１ないし第６駆動部１７ａ〜１７ｆは、第１ないし第６スイッチング素子１８ａ〜１８ｆを駆動させるためのものである。第１ないし第６駆動部１７ａ〜１７ｆは、後述する第１ないし第６スイッチング素子１８ａ〜１８ｆのそれぞれに対応している。
【００５６】
第１ないし第６スイッチング素子１８ａ〜１８ｆは、例えばＭＯＳ−ＦＥＴ等の電力増幅型電界効果トランジスタによって構成されている。第１及び第２スイッチング素子１８ａ，１８ｂは、正負の電源電圧＋Ｖ，−Ｖ間に直列に接続されており、それらの中点が平面型スピーカ１の第２平面板（可動板）２ｂに接続され、いわゆるハーフブリッジ回路を構成している。第１及び第２スイッチング素子１８ａ，１８ｂは、第１エッジトリガ部１４ａからの分周された変調信号に基づいて交互にオン、オフ動作される。
【００５７】
より詳細には、第１スイッチング素子１８ａはｐ型とされ、分周された変調信号がハイレベルのとき、オン動作し、平面型スピーカ１に正の電源電圧＋Ｖを供給する（平面型スピーカ１に「吐き出し電流」を供給する）。第２スイッチング素子１８ｂはｎ型とされ、分周された変調信号がローレベルのとき、オン動作し、平面型スピーカ１に負の電源電圧−Ｖを供給する（平面型スピーカ１に「吸い込み電流」を供給する）。
【００５８】
また、第３及び第４スイッチング素子１８ｃ，１８ｄは、第１及び第２スイッチング素子１８ａ，１８ｂと同様に、正負の電源電圧＋Ｖ，−Ｖ間に直列に接続されており、それらの中点が平面型スピーカ１の第１平面板（固定板）２ａに接続され、ハーフブリッジ回路を構成している。第３及び第４スイッチング素子１８ｃ，１８ｄは、第２エッジトリガ部１４ｂからの分周されたクロック信号に基づいて交互にオン、オフ動作される。
【００５９】
より詳細には、第３スイッチング素子１８ｃはｐ型とされ、分周されたクロック信号がハイレベルのとき、オン動作し、平面型スピーカ１に正の電源電圧＋Ｖを供給する（平面型スピーカ１に「吐き出し電流」を供給する）。第４スイッチング素子１８ｄはｎ型とされ、分周されたクロック信号がローレベルのとき、オン動作し、平面型スピーカ１に負の電源電圧−Ｖを供給する（平面型スピーカ１に「吸い込み電流」を供給する）。
【００６０】
また、第５及び第６スイッチング素子１８ｅ，１８ｆは、第１及び第２スイッチング素子１８ａ，１８ｂや第３及び第４スイッチング素子１８ｃ，１８ｄと同様に、正負の電源電圧＋Ｖ，−Ｖ間に直列に接続されており、それらの中点が平面型スピーカ１の第３平面板２ｃ（固定板）に接続され、ハーフブリッジ回路を構成している。第５及び第６スイッチング素子１８ｅ，１８ｆは、位相反転部１５からの反転分周クロック信号に基づいて交互にオン、オフ動作される。
【００６１】
より詳細には、第５スイッチング素子１８ｅはｐ型とされ、反転分周クロック信号がハイレベルのとき、オン動作し、平面型スピーカ１に正の電源電圧＋Ｖを供給する（平面型スピーカ１に「吐き出し電流」を供給する）。第６スイッチング素子１８ｆはｎ型とされ、反転分周クロック信号がローレベルのとき、オン動作し、平面型スピーカ１に負の電源電圧−Ｖを供給する（平面型スピーカ１に「吸い込み電流」を供給する）。
【００６２】
次に、上記構成による作用について、図８に示すタイミングチャートを参照して説明する。
【００６３】
オーディオ信号発生源１１から出力されるアナログ信号としてのオーディオ信号（図８（ａ）参照）は、クロック発生部１３から出力される基準クロック信号に応じてパルス幅変調部１２においてパルス幅変調されて、ディジタル信号としての変調信号（図８（ｃ）参照）に変換される。パルス幅変調部１２から出力される変調信号は、第１エッジトリガ部１４ａにおいて分周された変調信号（図８（ｄ）参照、以下「分周変調信号」という。）として生成される。この分周変調信号は、第１及び第２レベルシフト部１６ａ，１６ｂに供給される。
【００６４】
第１及び第２レベルシフト部１６ａ，１６ｂに供給された分周変調信号は、第１及び第２スイッチング素子１８ａ，１８ｂの基準電位にシフトされ、第１及び第２駆動部１７ａ，１７ｂにおいて第１及び第２スイッチング素子１８ａ，１８ｂを駆動するための信号に変換される。そして、所定のタイミングで第１及び第２スイッチング素子１８ａ，１８ｂにそれぞれ出力される。
【００６５】
第１及び第２スイッチング素子１８ａ，１８ｂは、第１及び第２駆動部１７ａ，１７ｂから出力される駆動信号に基づいてオン、オフ動作される。すなわち、図８（ｄ）に示すように、分周変調信号のハイレベルの期間Ｔ１においては、第１スイッチング素子１８ａがオン動作する一方、第２スイッチング素子１８ｂがオフ動作する。これにより、正の電源電圧＋Ｖが平面型スピーカ１の第２平面板（可動板）２ｂに供給される。
【００６６】
また、分周変調信号のローレベルの期間Ｔ２においては、第１スイッチング素子１８ａがオフ動作する一方、第２スイッチング素子１８ｂがオン動作する。これにより、負の電源電圧−Ｖが第２平面板２ｂに供給される。すなわち、分周変調信号がハイレベルの期間Ｔ１とは、逆方向の駆動電流が第２平面板（可動板）２ｂの導体線路４ｂに流れることになる。
【００６７】
クロック発生部１３から出力される基準クロック信号（図８（ｂ）参照）は、第２エッジトリガ部１４ｂにおいて分周されたクロック信号（図８（ｅ）参照、以下「分周クロック信号」という。）として生成される。この分周クロック信号は、第３及び第４レベルシフト部１６ｃ，１６ｄに供給される。
【００６８】
第３及び第４レベルシフト部１６ｃ，１６ｄに供給された分周クロック信号は、第３及び第４スイッチング素子１８ｃ，１８ｄの基準電位にシフトされ、第３及び第４駆動部１７ｃ，１７ｄにおいて第３及び第４スイッチング素子１８ｃ，１８ｄを駆動するための信号に変換される。そして、所定のタイミングで第３及び第４スイッチング素子１８ｃ，１８ｄにそれぞれ出力される。
【００６９】
第３及び第４スイッチング素子１８ｃ，１８ｄは、第３及び第４駆動部１７ｃ，１７ｄから出力される駆動信号に基づいてオン、オフ動作される。すなわち、図８（ｅ）に示すように、分周クロック信号のハイレベルの期間Ｔ３においては、第３スイッチング素子１８ｃがオン動作する一方、第４スイッチング素子１８ｄがオフ動作する。これにより、正の電源電圧＋Ｖが平面型スピーカ１の第１平面板（固定板）２ａに供給される。
【００７０】
また、分周クロック信号のローレベルの期間Ｔ４においては、第３スイッチング素子１８ｃがオフ動作する一方、第３スイッチング素子１８ｄがオン動作する。これにより、負の電源電圧−Ｖが第１平面板２ａに供給される。すなわち、分周クロック信号がハイレベルの期間Ｔ３とは、逆方向の駆動電流が第１平面板２ａの導体線路４ａに流れることになる。
【００７１】
第２エッジトリガ部１４ｂにおいて分周された分周クロック信号は、位相反転部１５において位相反転された分周クロック信号（図８（ｆ）参照、以下「反転分周クロック信号」という。）として生成される。反転分周クロック信号は、第５及び第６レベルシフト部１６ｅ，１６ｆに供給される。
【００７２】
第５及び第６レベルシフト部１６ｅ，１６ｆに供給された反転分周クロック信号は、第５及び第６スイッチング素子１８ｅ，１８ｆの基準電位にシフトされ、第５及び第６駆動部１７ｅ，１７ｆにおいて第５及び第６スイッチング素子１８ｅ，１８ｆを駆動するための信号に変換される。そして、所定のタイミングで第５及び第６スイッチング素子１８ｅ，１８ｆにそれぞれ出力される。
【００７３】
第５及び第６スイッチング素子１８ｅ，１８ｆは、第５及び第６駆動部１７ｅ，１７ｆから出力される駆動信号に基づいてオン、オフ動作される。すなわち、図８（ｆ）に示すように、反転分周クロック信号のローレベルの期間（上述した分周クロック信号がハイレベルの期間）Ｔ３においては、第５スイッチング素子１８ｅがオン動作する一方、第６スイッチング素子１８ｆがオフ動作する。これにより、正の電源電圧＋Ｖが平面型スピーカ１の第３平面板２ｃに供給される。
【００７４】
また、反転分周クロック信号のハイレベルの期間（分周クロック信号がローレベルの期間）Ｔ４においては、第５スイッチング素子１８ｅがオフ動作する一方、第６スイッチング素子１８ｆがオン動作する。これにより、負の電源電圧−Ｖが第３平面板２ｃに供給される。すなわち、反転分周クロック信号がハイレベルの期間Ｔ３とは、逆方向の駆動電流が第３平面板２ｃの導体線路４ｃに流れることになる。
【００７５】
ここで、図８（ｇ）を参照すると、期間ｔ１においては、分周変調信号がローレベルであるのに対し、分周クロック信号がハイレベルであるので、平面型スピーカ１の第１及び第２平面板２ａ，２ｂの各導体線路４ａ，４ｂには、逆方向の駆動電流が流れる。図３及び図４に示したように、各導体線路４ａ，４ｂに流れる駆動電流同士が逆方向のときには、第１及び第２平面板２ａ，２ｂには斥力Ｆ１，Ｆ２が生じる。
【００７６】
また、同じ期間ｔ１においては、図８（ｈ）に示すように、分周変調信号がローレベルであるのに対し、反転分周クロック信号がローレベルであるので、平面型スピーカ１の第２及び第３平面板２ｂ，２ｃの各導体線路４ｂ，４ｃには、同一方向の駆動電流が流れる。図５及び図６に示したように、各導体線路４ａ，４ｂに流れる駆動電流同士が同一方向のときには、第２及び第３平面板２ｂ，２ｃには引力Ｆ１’，Ｆ２’が生じる。
【００７７】
そのため、図９に示すように、期間ｔ１においては、第２平面板２ｂに斥力Ｆ２と引力
Ｆ１’の合成力が生じることになる。この合成力は、第２平面板２ｂを第３平面板２ｃに近づける方向の力であるから、可動板である第２平面板２ｂが第３平面板２ｃに接近することになる。
【００７８】
また、期間ｔ２においては、分周変調信号がハイレベルであるのに対し、分周クロック信号もハイレベルであるので、平面型スピーカ１の第１及び第２平面板２ａ，２ｂの各導体線路４ａ，４ｂには、同一方向の駆動電流が流れる。すなわち、第１及び第２平面板２ａ，２ｂには引力Ｆ１’，Ｆ２’が生じる。
【００７９】
また、同じ期間ｔ２においては、分周変調信号がハイレベルであるのに対し、反転分周クロック信号がローレベルであるので、第２及び第３平面板２ｂ，２ｃの各導体線路４ｂ，４ｃには、逆方向の駆動電流が流れる。すなわち、第２及び第３平面板２ｂ，２ｃには斥力Ｆ１，Ｆ２が生じる。
【００８０】
そのため、図１０に示すように、期間ｔ２においては、第２平面板２ｂに引力Ｆ２’と斥力Ｆ１の合成力が生じ、この合成力は、第２平面板２ｂを第１平面板２ａに近づける方向の力であるから、可動板である第２平面板２ｂが第１平面板２ａに接近することになる。
【００８１】
これらの第２平面板２ｂの第１平面板２ａ及び第３平面板２ｃへの接近又は離間動作は、期間ｔ３，ｔ４（図８参照）においても同様に行われ、以降、交互に継続して行われる。
【００８２】
上記のように、第２平面板２ｂは、図９及び図１０に示すように、第１平面板２ａ及び第３平面板２ｃに対して接近、離間を繰り返すのであるが、第１ないし第３平面板２ａ，２ｂ，２ｃの導体線路３ａ，３ｂ，３ｃには、流れる方向が異なるがほぼ同じ大きさの駆動電流が流れる。すなわち、第２平面板２ｂには、同じ最大振幅値の駆動力が供給される。
【００８３】
従来では、固定板及び可動板のみによる構成において、可動板に固定板に近づける引力が生じて当該可動板が移動した場合と可動板に固定板から遠ざける斥力が生じて当該可動板が移動した場合とで可動板の移動量が異なり、可動板に駆動信号に応じた適切な振動を生じさせることが困難となっていた。これに対し、本実施形態では、第２平面板（可動板）２ｂを挟むように２枚の第１及び第３平面板（固定板）２ａ，２ｃを設け、両方の第１及び第３平面板（固定板）２ａ，２ｃから第２平面板（可動板）２ｂにそれぞれ力を生じさせ、その合成力で第２平面板（可動板）２ｂを振動させるので、第２平面板（可動板）２ｂの導体線路４ｂに流れる駆動電流の向きが変化して当該第２平面板（可動板）２ｂの振動方向が変化しても両振動方向における振動量の対称性を保つことができる。したがって、駆動電流に応じた適切な振動を生じさせることができ、ひいてはオーディオ信号の正負の振幅に応じた音声が適切に出力させることができる。
【００８４】
また、第２平面板２ｂは、図２に示したように、第１スペーサ３ａ及び第２スペーサ３３ｂを介して樹脂からなる第１平面板２ａ及び第３平面板２ｃに挟まれた構成とされているため、例えば外部の衝撃があっても第２平面板２ｂを保護することができる。
【００８５】
図１１は、図７に示す平面型スピーカ１を含むアンプ装置１０の変形例を示すブロック構成図である。この変形例の構成では、分周されたクロック信号に基づく信号が平面型スピーカ１の第２平面板２ｂに供給され、分周された変調信号に基づく信号が第１平面板２ａに供給され、分周されかつ位相反転された変調信号に基づく信号が第３平面板２ｃに供給されている点で、上記した実施形態と異なる。
【００８６】
すなわち、上記実施形態では、可動板である第２平面板２ｂに対して変調信号に基づく信号が供給されたが、この変形例では、第２平面板２ｂに対してクロック信号に基づく信号が供給され、固定板である第１及び第２平面板２ａ，２ｃに対して変調信号に基づく信号が供給されている。
【００８７】
より詳細には、クロック発生部１３からのクロック信号が第１エッジトリガ部１４ａに入力され、分周されたクロック信号が第１及び第２レベルシフト部１６ａ，１６ｂ、第１及び第２駆動部１７ａ，１７ｂを介して、第１及び第２スイッチング素子１８ａ，１８ｂに入力される。そして、第１及び第２スイッチング素子１８ａ，１８ｂから位相反転されたクロック信号に基づく正負の電源電圧±Ｖでスイッチングされた信号が第２平面板（可動板）２ｂに供給される。
【００８８】
また、パルス幅変調部１２からの変調信号が第２エッジトリガ部１４ｂに入力され、分周された変調信号が第３及び第４レベルシフト部１６ｃ，１６ｄ、第１及び第２駆動部１７ｃ，１７ｄを介して、第３及び第４スイッチング素子１８ｃ，１８ｄに入力される。そして、第３及び第４スイッチング素子１８ｃ，１８ｄから分周された変調信号に基づく正負の電源電圧±Ｖでスイッチングされた信号が第１平面板（固定板）２ａに供給される。
【００８９】
さらに、第２エッジトリガ部１４ｂからの分周された変調信号が位相反転部１５に入力され、分周されかつ位相反転された変調信号が第５及び第６レベルシフト部１６ｅ，１６ｆ、第１及び第２駆動部１７ｅ，１７ｆを介して、第３及び第４スイッチング素子１８ｅ，１８ｆに入力される。そして、第３及び第４スイッチング素子１８ｅ，１８ｆから分周されかつ位相反転された変調信号に基づく正負の電源電圧±Ｖでスイッチングされた信号が第３平面板（固定板）３ａに供給される。その他の構成については、上記した実施形態と略同様である。
【００９０】
この構成においても、可動板である第２平面板２ｂには、引力が生じた場合と斥力が生じた場合とで同じ最大振幅値の駆動力が供給されるので、第２平面板２ｂの上下の振動の対称性を保つことができる。したがって、駆動電流に応じた適切な振動を生じさせることができる。
【００９１】
なお、第１平面板２ａ及び第３平面板２ｃに供給される信号は入れ替わってもよく、すなわち、分周された変調信号に基づく信号が第３平面板２ｃに供給され、分周されかつ位相反転された変調信号に基づく信号が第１平面板２ａに供給されてもよい。
【００９２】
もちろん、この発明の範囲は上述した実施の形態に限定されるものではなく、上記実施形態に示した回路構成及びブロック構成は一例であり、同等の機能を有するものであれば、種々の回路構成及びブロック構成を適用することができる。
【図面の簡単な説明】
【００９３】
【図１】本願発明に係る平面型スピーカの概略構成図である。
【図２】平面型スピーカの概略斜視図である。
【図３】平面型スピーカの概略構成図であり、導体線路間に斥力が生じる場合を示す。
【図４】平面型スピーカの動作原理図であり、導体線路間に斥力が生じる場合を示す。
【図５】平面型スピーカの概略構成図であり、導体線路間に引力が生じる場合を示す。
【図６】平面型スピーカの動作原理図であり、導体線路間に引力が生じる場合を示す。
【図７】アンプ装置のブロック構成図である。
【図８】アンプ装置の作用を説明するためのタイミングチャートである。
【図９】第１ないし第３平面板の動作を説明するための図である。
【図１０】第１ないし第３平面板の動作を説明するための図である。
【図１１】アンプ装置の変形例を示すブロック構成図である。
【図１２】平面型スピーカの動作原理を説明するための図であり、導体線路間に引力が生じる場合を示す。
【図１３】平面型スピーカの動作原理を説明するための図であり、導体線路間に斥力が生じる場合を示す。
【図１４】駆動電流と可動板に供給される駆動力との関係を説明するための図である。
【符号の説明】
【００９４】
１  平面型スピーカ
２ａ  第１平面板（可動板）
２ｂ  第２平面板（固定板）
２ｃ  第３平面板（固定板）
３ａ  第１スペーサ
３ｂ  第２スペーサ
４ａ，４ｂ，４ｂ  導体線路
５  開口
１０  アンプ装置
１１  オーディオ信号発生源
１２  パルス幅変調部
１３  クロック発生部
１４ａ  第１エッジトリガ部
１４ｂ  第２エッジトリガ部
１５    位相反転部
１６ａ  第１レベルシフト部
１６ｂ  第２レベルシフト部
１６ｃ  第３レベルシフト部
１６ｄ  第４レベルシフト部
１７ａ  第１駆動部
１７ｂ  第２駆動部
１７ｃ  第３駆動部
１７ｄ  第４駆動部
１８ａ  第１スイッチング素子
１８ｂ  第２スイッチング素子
１８ｃ  第３スイッチング素子
１８ｄ  第４スイッチング素子
【図１】
2009246659.tif 000003
【図２】
2009246659.tif 000004
【図３】
2009246659.tif 000005
【図４】
2009246659.tif 000006
【図５】
2009246659.tif 000007
【図６】
2009246659.tif 000008
【図７】
2009246659.tif 000009
【図８】
2009246659.tif 000010
【図９】
2009246659.tif 000011
【図１０】
2009246659.tif 000012
【図１１】
2009246659.tif 000013
【図１２】
2009246659.tif 000014
【図１３】
2009246659.tif 000015
【図１４】
2009246659.tif 000016